(57)【要約】【課題】喪主に不必要なコストや負担をかけず、また参列者にも負担をかけず、不要な虚礼を廃止する風潮に合致しつつも、参列者が葬祭以降も故人を偲びやすくなる装飾形状物付礼状を提供する。【解決手段】本発明は、台紙２と、台紙２の一部に設けられた第１装着部３と、台紙２の一部であると共に第１装着部３と異なる位置に設けられた第２装着部４を備え、第１装着部３の表面と裏面の内、少なくとも一方は、透明もしくは半透明であり、第２装着部４の表面と裏面の内、少なくとも一方は、透明もしくは半透明であり、第１装着部３には、装飾形状物が装着可能である。【選択図】図１
2008132607.tif 000002
【特許請求の範囲】
【請求項１】
台紙と、
前記台紙の一部に設けられた第１装着部と、
前記台紙の一部であると共に前記第１装着部と異なる位置に設けられた第２装着部を備え、
前記第１装着部の表面と裏面の内、少なくとも一方は、透明もしくは半透明であり、
前記第２装着部の表面と裏面の内、少なくとも一方は、透明もしくは半透明であり、
前記第１装着部には、装飾形状物が装着可能である装飾形状物付礼状
【請求項２】
前記第２装着部の一部は、前記第２装着部よりも小さい第３装着部を備える請求項１記載の装飾形状物付礼状。
【請求項３】
前記第１装着部と前記第２装着部のそれぞれは、前記台紙の同一面に設けられ、
前記第１装着部は、挿入により前記装飾形状物を装着可能であり、
前記第２装着部は、挿入により印刷物を装着可能である請求項１から２のいずれか記載の装飾形状物付礼状。
【請求項４】
前記装飾形状物は、一方の面に装飾を有し、他方の面に印刷面を有する請求項１から３のいずれか記載の装飾形状物付礼状。
【請求項５】
前記装飾は、木の葉、花、写真および絵の少なくとも一つを利用している請求項４記載の装飾形状物付礼状。
【請求項６】
前記第１装着部の表面と裏面の両面が透明もしくは半透明である請求項１から５のいずれか記載の装飾形状物付礼状。
【請求項７】
前記第１装着部は、前記装飾形状物を固定可能である請求項１から６のいずれか記載の装飾形状物付礼状。
【請求項８】
前記第１装着部は、前記装飾形状物を貼付可能であり、前記第２装着部は、前記印刷物を貼付可能である請求項１から７のいずれか記載の装飾形状物付礼状。
【請求項９】
前記第３装着部は、前記第２装着部の一部に設けられたスリットである請求項１から８のいずれか記載の装飾形状物付礼状。
【請求項１０】
前記台紙は折り曲げ可能な見開き状を有し、
前記第１装着部と前記第２装着部のそれぞれは、前記台紙の同一面であって前記見開きを形作る支線の左右のそれぞれに配置されている請求項１から９のいずれか記載の装飾形状物付礼状。
【発明の詳細な説明】
【技術分野】
【０００１】
本発明は、冠婚葬祭における礼状であって、装飾形状物とセットになった装飾形状物付礼状に関するものである。
【背景技術】
【０００２】
冠婚葬祭の内、葬祭においては、会葬参列者に対して喪主からの挨拶を印刷したお礼状を渡すことが普通である。お礼状には、「喪主」、「身内一同」の名前に加えて会葬参列への御礼の言葉が記載されている。このとき、お礼状に簡単なお礼品を添えて、会葬参列者に渡されることが多い。お礼品には、たとえばコーヒー、砂糖スティックやお茶などが利用される。このように、葬祭における会葬参列者に対しては、参列へのお礼を示すお礼状とお礼品がセットで渡されることが多い。
このようなお礼状については、いくつかの技術が提案されている（例えば、特許文献１参照）。
【特許文献１】特開２００５−１３８５１７特開号公報
【発明の開示】
【発明が解決しようとする課題】
【０００３】
しかしながら、お礼品として渡される品は、実用性の低いものであったり、参列者にとって持ち帰りの負担を生じさせたりするなどの問題もある。
このような問題に虚礼廃止の風潮も加わって、昨今では地域よってはお礼状にお礼品を添えるのを省略する傾向がある。このような場合には、参列の御礼を印刷したお礼状だけが手渡される。この場合には従来技術で提案されているような形式のお礼状が渡されることになる。
しかし、このような礼状のみであると、参列者の香典に対する返礼が不十分となるのではないかという、喪主と身内の不安を引き起こす問題もある。そもそもお礼品を省略すると、参列者への心づくしを行う手段が乏しくなり、喪主にとってのその後の負担増にもなりかねない。加えて、参列者は挨拶が印刷されただけのお礼状だけしか持ち合わせておらず、故人を偲びにくい。また、お礼状は、挨拶が印刷されているだけであるから、葬祭から戻った参列者は、お礼状を捨ててしまうことも多い。こうなってしまうと、参列者が故人を思い出す手段はなくなってしまう。
一方、従来どおりのコーヒー、砂糖スティックやお茶などのお礼品を添えたとしても、これらのお礼品は、会葬後すぐに利用に供されてしまい、やはり故人を偲ぶ手段としては不十分である。お礼品は、故人を偲ぶという本来の目的には合致しない。
すなわち、従来どおりのお礼品とお礼状の組み合わせでは、参列者が故人を偲ぶということについて十分な思いを想起させることができない問題があった。また負担低減、虚礼廃止の風潮に基づいてお礼品を省略した場合には、参列者は会葬出席後にお礼状を捨てたりなくしたりしてしまって、以降に故人を思い出す手立てを失うことにもなりかねない問題があった。
本発明は、喪主に不必要なコストや負担をかけず、また参列者にも負担をかけず、不要な虚礼を廃止する風潮に合致しつつも、参列者が葬祭意向も故人を偲びやすくなる装飾形状物付礼状を提供することを目的とする。
【課題を解決するための手段】
【０００４】
上記の課題を解決するために、台紙と、台紙の一部に設けられた第１装着部と、台紙の一部であると共に第１装着部と異なる位置に設けられた第２装着部を備え、第１装着部の表面と裏面の内、少なくとも一方は、透明もしくは半透明であり、第２装着部の表面と裏面の内、少なくとも一方は、透明もしくは半透明であり、第１装着部には、装飾形状物が装着可能である装飾形状物付礼状を提供する。
【発明の効果】
【０００５】
本発明によれば、喪主にとって負担であったお礼品を省略できると共に、虚礼廃止による参列者への不快感を与える心配もなくなる。この結果、葬祭という喪主にとっては悲しみの中で、参列者へも気遣いをする必要がある大変な状況における、精神的負担を非常に低減できる。
また、参列者にとっても、余り実用性の高くないお礼品の持ち帰りの（参列者は葬祭という性質上、普通のかばんなどは持ってないことが普通である）負担が低減するメリットがある。加えて、すぐに利用してしまうお礼品と異なり、装飾形状物を備えたお礼状は、参列の記念として保管が可能であり、将来に渡って故人を偲ぶことができるようになる。また、保管に負担もなく、例えば個人の写真と一緒に保管するなどでかまわない。しかも、参列者にとっては、虚礼廃止という喪主の心遣いが伝わり、不必要なコストや見栄を省略した心のこもった葬祭であったと感じることもできる。
加えて、葬祭を主催、運営する葬祭業者にとっても、お礼品の運搬、保管、保守管理にかかる費用を低減できるメリットがある。
このように、本発明によれば、喪主、葬祭参列者、葬祭業者のいずれにとっても、見栄から生じる不要な負担を低減できるにもかかわらず、故人を長い間偲ぶことができるようになる。
【発明を実施するための最良の形態】
【０００６】
第１の発明に係る装飾形状物付礼状は、台紙と、台紙の一部に設けられた第１装着部と、台紙の一部であると共に第１装着部と異なる位置に設けられた第２装着部を備え、第１装着部の表面と裏面の内、少なくとも一方は、透明もしくは半透明であり、第２装着部の表面と裏面の内、少なくとも一方は、透明もしくは半透明であり、第１装着部には、装飾形状物が装着可能である。
この構成により、故人を偲ぶことのできる装飾形状物が礼状とセットとなった状態で、参列者が礼状を受け取ることが出来る。このため、参列者は不要な実用品を受け取ることなく、簡易な装飾形状物により、葬祭後の長きにわたって故人を偲ぶことができる。
第２の発明に係る装飾形状物付礼状では、第１の発明に加えて、第２装着部の一部は、第２装着部よりも小さい第３装着部を備える。
この構成により、装飾形状物付礼状は、塩袋を同封できる。
第３の発明に係る装飾形状物付礼状では、第１から第２のいずれかの発明に加えて、第１装着部と第２装着部のそれぞれは、台紙の同一面に設けられ、第１装着部は、挿入により装飾形状物を装着可能であり、第２装着部は、挿入により印刷物を装着可能である。
この構成により、台紙のみを予め大量に生産し保管しておき、葬祭の度に、葬祭者に合わせた装飾形状物や印刷物を必要数用意して、装飾形状物付礼状を作ることができる。この場合には、無駄がなくなる。
第４の発明に係る装飾形状物付礼状では、第１から第３のいずれかの発明に加えて、装飾形状物は、一方の面に装飾を有し、他方の面に印刷面を有する。
この構成により、参列者は、装飾形状物のみを葬祭の後に取り出して故人を偲ぶことができる。加えて、一方は装飾であって、他方は故人を表す文言があることで、故人を偲ぶ気持ちがより一層大きくなる。
第５の発明に係る装飾形状物付礼状では、第４の発明に加えて、装飾は、木の葉、花、写真および絵の少なくとも一つを利用している。
この構成により、故人を偲ぶに相応しい装飾形状物を実現できる。
第６の発明に係る装飾形状物付礼状では、第１から第５のいずれかの発明に加えて、第１装着部の表面と裏面の両面が透明もしくは半透明である。
この構成により、装着されている装飾形状物を、外部から視認できる。
第７の発明に係る装飾形状物付礼状では、第１から第６のいずれかの発明に加えて、第１装着部は、装飾形状物を固定可能である。
この構成により、装飾形状物が固定されているので、装飾形状物付礼状を、ずっと保管する気持ちが高まる。
第８の発明に係る装飾形状物付礼状では、第１から第７のいずれかの発明に加えて、第１装着部は、装飾形状物を貼付可能であり、第２装着部は、印刷物を貼付可能である。
この構成により、装飾形状物および印刷物を簡単に台紙に装着できる。
第９の発明に係る装飾形状物付礼状では、第１から第８のいずれかの発明に加えて、第３装着部は、第２装着部の一部に設けられたスリットである。
この構成により、簡易な構成で第３装着部を実現できる。
第１０の発明に係る装飾形状物付礼状では、第１から第９のいずれかの発明に加えて、台紙は折り曲げ可能な見開き状を有し、第１装着部と第２装着部のそれぞれは、台紙の同一面であって見開きを形作る支線の左右のそれぞれに配置されている。
この構成により、参列者に手渡ししやすく、保管や持ち運びの手間が少ない上に、装飾形状物と挨拶などが記載された印刷物の両方を、容易に視認できる。
以下、図面を用いて実施の形態について説明する。
図１は、本発明の実施の形態における装飾形状物付礼状の正面図である。
装飾形状物付礼状１は、１枚の台紙２に、第１装着部３と第２装着部４が設けられた構成を有している。また、図１に示されるように、第３装着部５が設けられていても良い。
台紙２は、厚手の紙や樹脂により形成されたもので、台紙２が装飾形状物付礼状１の全体を形作る。ここで、台紙２は、図１に示されるように略中央線を支線として折り曲げ可能な見開き状であってもよい。これにより、台紙２が折り曲げられて、その内側に第１装着部３と第２装着部４が隠されるので、参列者に手渡すときに手渡しやすい上に、礼に適った状態で手渡すことができる。
台紙２の１面には、第１装着部３と第２装着部４が設けられている。第１装着部３と第３装着部４は、台紙２の同じ面であって、異なる位置に配置されている。なお、台紙２の異なる面に第１装着部３と第２装着部４が配置される構成であっても良い。
第１装着部３は、装飾形状物を装着可能であり、第２装着部４は、印刷物を装着可能である。
図２は、本発明の実施の形態における装飾形状物付礼状の正面図である。図２は、第１装着部３に装飾形状物６が挿入されることで装着され、第２装着部４に印刷物７が挿入されることで装着される状態を示している。
第１装着部３と第２装着部４は、それぞれポケット形状となっており、装飾形状物６や印刷物７を挿入可能とすることで、これらを装着できる。
このように、第１装着部３に装飾形状物６が装着され、第２装着部４に印刷物７が装着された状態で、台紙２が半分に折りたたまれて装飾形状物付礼状１として、参列者に手渡される。
次に、各部の詳細について説明する。
（台紙）
台紙２は、装飾形状物付礼状１の全体を形作る。厚手の紙や薄い樹脂が用いられ、大きさとしてはＡ４〜Ｂ５程度が、参列者への手渡しの容易さからは好ましいが、これに限られるものではない。
台紙２は、略中央を支線として折り曲げ可能な見開き状であることも、参列者への手渡しやプライベート性から好ましい。装飾形状物付礼状の製造時には支線に折り目がついているだけであって、実際の葬祭場において参列者に配布されるときに、実際に折り曲げられるようにされていてもよい。無論、台紙２が折り曲げ可能な見開き状ではなく、単なる１枚の状態であっても良い。
なお、台紙２において第１装着部３、第２装着部４が設けられているのと逆の面には、礼状であることをしめす「題目」が印刷されていることも良い。
（第１装着部）
第１装着部３は、台紙２の１面に設けられている。なお、台紙２の表面に形成されていてもよく、台紙２の一部を構成するように設けられていても良い。
第１装着部３は、その表面と裏面の内いずれか１面が透明もしくは半透明であって、第１装着部３の内部を視認することができるようになっている。
第１装着部３は、ポケット形状の部材が、台紙２の表面に貼り付けられていてもよく、台紙２の表面に貼付面がもうけられていてもよく、台紙２に設けられたスリットであってもよい。これらの形状を有する第１装着部３は、装飾形状物６を装着できる。装着の結果、台紙２には、装飾形状物６が取り付けられた状態となり、装飾形状物付礼状１の体裁を有することになる。
第１装着部３がポケット形状の場合には、その表面と裏面の少なくとも一方あるいは両方が透明もしくは半透明であり、図２に示されるように、装飾形状物６が挿入される。ポケット形状を有しているのであるから、装飾形状物６は、抜き差し可能であり、装飾形状物付礼状１の製造において、台紙２や装着部などの基本部分と、装飾形状物６の製造を別に行うことができる。こうすると、台紙２や装着部などの基本部分は、共通仕様で製造し、装飾形状物６は、使用者に合わせてオリジナルに製造することができる。この結果、参列者および主催者の双方にとって、最適な装飾形状物付礼状１を実現できる。
また、第１装着部３は、台紙２に設けられた複数のスリットで構成されても良い。例えば、第１装着部３は、装飾形状物６の大きさと形に合わせて、装飾形状物６の角部に該当する箇所にスリットを複数設けた形状から構成される。装飾形状物６は、その角部がこれらのスリットに挿入されることで装着される。この場合にも、ポケット形状と同様に抜き差しが可能である。
このように抜き差しが可能であると、礼状と装飾形状物６の製造を別途にできるだけでなく、装飾形状物付礼状１を受け取った参列者は、自宅に戻ってから装飾形状物６のみを取り出して、これのみを故人を偲ぶものとして容易に保管することができる。
また、第１装着部３は、装飾形状物６を貼り付ける貼付面により構成されても良い。
この場合には、装飾形状物６を貼り付けるだけですむメリットがあり、装飾形状物６が紛失しにくいメリットもある。
また、第１装着部３は、その両面が透明もしくは半透明であることも好ましい。後述するように、装飾形状物６は、１面に装飾が施され、他方の面に印刷面を有していることもあるので、第１装着部３の両面が透明もしくは半透明であることで、装飾も印刷面も即座に視認することができるからである。
また、第１装着部３の形態のいずれにもかかわらず、装飾形状物６を固定可能であることも好ましい。例えば、第１装着部３が貼付面を有する形態であれば、これにより装飾形状物６を固定可能である。第１装着部３がポケット形状やスリットを有する形態の場合でも、ストッパーを設けることで、装飾形状物６を固定可能である。
固定可能である場合には、装飾形状物６を紛失しにくいというメリットがある。
（第２装着部）
第２装着部４は、台紙２において第１装着部３が設けられている位置と異なる位置に設けられる。
図１〜３に示されるように、台紙２が見開き形状である場合には、支線を基準に第１装着部３と逆側に設けられる。第２装着部４は、図２に示されるように印刷物７を装着可能である。
第２装着部４は、第１装着部３と同じ形態を有していれば良い。
もちろん、第１装着部３と異なる形態を有していてもよく、印刷物７を装着可能な形態を有していればよい。
特に、印刷物７を装着可能であればよいので、ポケット形状や複数のスリットによる形態により、印刷物７を装着できるか、貼付面により印刷物７を固定的に装着できれば良い。
第２装着部４がポケット形状や複数のスリットによる形態を有している場合には、印刷物７が挿入されることで装着される。すなわち、印刷物７が抜き差し可能である。抜き差し可能であることで、装飾形状物付礼状１と印刷物７を別々に製造できるので、共通部分とオリジナル部分とを分けて製造できるメリットがある。こうすると、共通部分である台紙２などは、大量に製造し保管しておき、印刷物７などは主催者が決まってから必要な部数印刷されればよく、無駄が発生しにくい。
あるいは、第２装着部４は、台紙２の一部として構成されて台紙２に直接印刷が施されることで、印刷物７が装着された状態としても良い。
（第３装着部）
第３装着部５は、第２装着部４の一部に必要に応じて設けられる。第３装着部５は、例えば葬祭における清めの塩の入った塩袋を装着する。もちろん、塩袋以外でも良い。
第３装着部５は、第２装着部４よりも小さい。
第２装着部４の一部にスリットを設けることで、簡単に第３装着部５を実現できる。
（装飾形状物）
装飾形状物６は、従来のお礼品の代わりとして参列者が故人を偲ぶことができるように、礼状に付属して供される。
従来は挨拶が印刷されたお礼状にお礼品が添えられて参列者に渡されていたが、主催者と参列者の双方にとって無駄な負担でもあり、個人を偲ぶという本来の目的には合致しないものでもあった。
これに対して、装飾形状物６は、お礼状に一体的に設けられるため、無駄な負担がなく、実用品と異なって故人を長期にわたって偲ぶことができる品となる。
図４は、本発明の実施の形態における装飾形状物の両面図である。
表面には、装飾が施され、裏面には印刷が施されている。
装飾は、葬祭にふさわしいデザインや素材によるものが好ましく、例えば木の葉、花、写真および絵の少なくとも一つを利用したものであることが好ましいが、これらに限られるものではなく、故人を偲ぶ材料にふさわしいデザインであれば、いかなるものでもかまわない。
図４においては、木の葉を用いた装飾が表されている。
印刷面は、例えば故人の略歴や思い出、あるいは故人が好きだった言葉などが印刷されていたり、装飾形状物６を使用する目的などが印刷されていたりする。もちろん、これらは例示に過ぎない。
ここで、第１装着部３に取り出し可能な状態で装飾形状物６が装着されている場合には、装飾形状物付礼状１を受け取った参列者は、葬祭後自宅に戻ってから、この装飾形状物６だけを取り出して、故人のアルバムや仏壇に飾るなどして長期に保管が可能である。実用品などと異なり、保管が可能であるので、故人を偲ぶ材料として消失することがない。
加えて、薄い紙片に近い形態を持つに過ぎないので、保管における難しさもない。
アルバムや仏壇などに簡単においておくことができるので、装飾形状物６を見ることで参列者は折に触れて故人を思い出すことができる。
装飾形状物６は、従来のお礼品などと異なり、参列者に対して主催者がお礼の意を表すと同時に、参列者に対して故人を偲ぶ材料を提供することを実現するものである。
（印刷物）
印刷物７は、装飾形状物６と異なり会葬参列への挨拶および主催者の名前や住所などの記述的内容が記載されている。すなわち、印刷物７は、従来のお礼状の基本的な役割を有する。
装飾形状物６が参列への御礼と故人を偲ぶ材料提供の役割を有しているので、印刷物７と装飾形状物６が合わさって会葬参列者への主催者からの心づくしが十分に実現される。
なお、第１装着部３と第２装着部４は、台紙２に取り付けられてもよく、台紙２の一部として構成されても良い。
また、第１装着部３は、図１，２に示されるように見開き形状を有する台紙２の支線の一方側に設けられ、第２装着部４が逆側に設けられることで、見開きとなった状態で、挨拶文と装飾形状物６の両方を簡単に認知できる。
また、図３に示されるように、台紙２の外辺ぎりぎりまで第１装着部３、第２装着部４が設けられても良い。
また、図１〜図３では、台紙２を折り曲げ可能な見開き形状として説明したが、見開き形状ではなく、一枚全体を使用する形態でもよい。あるいは、台紙２の表面と裏面のそれぞれに、第１装着部３と第２装着部４のそれぞれが設けられる構成でも良い。
なお、図５に示されるように、折り曲げ可能な見開き形状を折り曲げた場合には、その内側に装飾形状物６と印刷物７が対向するように配される。図５は、本発明の実施の形態における装飾形状物付礼状の側面図である。
なお、印刷物７は、装着部２に装着されても良いが、台紙２の装着部２の領域に予め印刷されることで実現されても良い。この場合には、装飾形状物６のみを事後的に装着すれば、参列者への配布が可能となる。
（変形例）
図６は、本発明の実施の形態における装飾形状物付礼状の変形例の両面図である。
図６に示される変形例では、１枚の台紙２の表面に第１装着部３を備え、その裏面に第２装着部４を備えた装飾形状物付礼状１が示されている。
図６に示されるように、表面に第１装着部３が備えられ、第１装着部３は、装飾形状物６を装着する。一方、裏面に第２装着部４が備えられ、第２装着部４は、印刷物７を装着する。なお、印刷物７は、予め台紙２の裏面に印刷されていてもよい。
第１装着部３と第２装着部４は、ポケット形状により抜き差し可能に装飾形状物６と印刷物７を装着しても良く、貼付面により貼り付けても良い。
このように台紙２の表面と裏面のそれぞれに、第１装着部３と第２装着部４を配置することで、装飾形状物付礼状１を小型化できるし、保管が容易になる。
なお、本発明に係る装飾形状物付礼状は、葬祭だけでなく、結婚式などの冠婚葬祭全般にわたって利用できる。
【産業上の利用可能性】
【０００７】
本発明は、主催者、出席者双方の精神的負担や経済的負担を軽減できるお礼状などに公的に利用できる。
【図面の簡単な説明】
【０００８】
【図１】本発明の実施の形態における装飾形状物付礼状の正面図
【図２】本発明の実施の形態における装飾形状物付礼状の正面図
【図３】本発明の実施の形態における装飾形状物付礼状の正面図
【図４】本発明の実施の形態における装飾形状物の両面図
【図５】本発明の実施の形態における装飾形状物付礼状の側面図
【図６】本発明の実施の形態における装飾形状物付礼状の変形例の両面図
【符号の説明】
【０００９】
１    装飾形状物付礼状
２    台紙
３    第１装着部
４    第２装着部
５    第３装着部
６    装飾形状物
７    印刷物
【図１】
2008132607.tif 000003
【図２】
2008132607.tif 000004
【図３】
2008132607.tif 000005
【図４】
2008132607.tif 000006
【図５】
2008132607.tif 000007
【図６】
2008132607.tif 000008